(57)【要約】【課題】フローティング構造を有していても、熱を効率的に外装へ放熱できる電子機器の放熱構造を提供する。【解決手段】放熱板２０２と外装１０３を持ち、放熱板２０２と外装１０３が、弾性部材２０４を介して固定手段２０６によって接続されている。撮像素子２０１を持ち、放熱板２０２は、撮像素子２０１の放熱を行なう放熱板である。弾性部材２０４が放熱性を有する。フローティング構造を有し、撮像素子２０１の熱を効率的に外装１０３へ放熱することができる。【選択図】      図１
2005354637.tif 000002
【特許請求の範囲】
【請求項１】
放熱板と外装を持つ電子機器における放熱構造であって、
前記放熱板と前記外装が、弾性部材を介して固定手段によって接続されていることを特徴とする電子機器の放熱構造。
【請求項２】
前記電子機器は撮像素子を持ち、前記放熱板は、前記撮像素子の放熱を行なう放熱板であることを特徴とする請求項１に記載の電子機器の放熱構造。
【請求項３】
前記弾性部材が放熱性を有することを特徴とする請求項１または２に記載の電子機器の放熱構造。
【請求項４】
前記放熱板と前記外装の間は第１の弾性部材を介して固定手段によって接続され、前記外装と前記固定手段の間は第２の弾性部材を介して接続されていることを特徴とする請求項１〜３のいずれか１項に記載の電子機器の放熱構造。
【請求項５】
前記第１の弾性部材は放熱性を有し、前記第２の弾性部材は制振性を有していることを特徴とする請求項４に記載の電子機器の放熱構造。
【請求項６】
撮像レンズと、
撮像素子と、
前記撮像素子の熱を放熱するための放熱板と、
音が入力される音入力部と、
前記音入力部の覆うように配置され、複数の開口部を有する外装とを有し、
前記放熱板と前記外装が、弾性部材を介して固定手段によって接続されていることを特徴とする電子機器。
【発明の詳細な説明】
【技術分野】
【０００１】
本発明は、ビデオカメラに搭載されるＣＣＤ等の撮像素子が発生する熱を放熱する電子機器の放熱構造に関する。
【背景技術】
【０００２】
近年、電子機器としてのビデオカメラにおいては、機器の小型化、多画素数化による信号の高速化、回路の高集積化により、機器内部で発生した熱が内部にこもり易くなってきている。ビデオカメラにおいて撮像素子として用いられるＣＣＤは発熱源の１つであり、また熱による画質悪化等の影響を受ける素子である。これらＣＣＤ等の撮像素子は、画角を維持するために放熱板や基板とともに撮影レンズに完全に固定され、この構成をカメラユニットとして外装からはゴムなどを介してフローティング構造を取っている。カメラユニットが外装に対してフローティング構造を取る理由としては、レンズの駆動音・駆動振動が外装を通してマイクに伝わり、騒音となることを防ぐ等が挙げられる。
【０００３】
そこで、従来、ＣＣＤの温度上昇を抑え、且つカメラユニットのフローティング状態を維持するために、ＣＣＤに金属製の放熱部品を取り付けて機器内部の空気に放熱するか、放熱部品と外装の隙間に放熱ゴムを詰めて放熱をしていた。
【発明の開示】
【発明が解決しようとする課題】
【０００４】
しかしながら、従来のように放熱部品と外装の隙間に放熱ゴムを詰める構造には問題がある。すなわち、放熱ゴムの特性上、部品と放熱ゴム間の熱伝導率を上げるためには、放熱ゴムを圧縮して使用しなければならない。ところが、カメラユニットがフローティング構造を取っているため、放熱ゴムを放熱部品と外装の間で圧縮をしようとすると、圧縮の反力でカメラユニットが偏ることや、外装が浮いて外観に隙間を生じさせることなどがある。
【０００５】
そこで、本発明は電子機器であるカメラユニットがフローティング構造を有していても、撮像素子の熱を効率的に外装へ放熱できる電子機器の放熱構造を提供することを目的とする。
【課題を解決するための手段】
【０００６】
上記目的を達成するため、本発明における電子機器の放熱構造は、放熱板と外装を持ち、前記放熱板と外装が、弾性部材を介して固定手段によって接続されていることを特徴としている。
【０００７】
また、本発明による電子機器の放熱構造において、前記撮像素子を持ち、前記放熱板は、前記撮像素子の放熱を行なう放熱板であることを特徴としている。
【０００８】
また、本発明による電子機器の放熱構造において、前記弾性部材が放熱性を有することを特徴としている。
【０００９】
また、本発明による電子機器の放熱構造において、前記放熱板と前記外装の間は第１の弾性部材を介して固定手段によって接続され、前記外装と前記固定手段の間は第２の弾性部材を介して接続されていることを特徴としている。
【００１０】
また、本発明による電子機器の放熱構造において、前記第１の弾性部材は放熱性を有し、前記第２の弾性部材は制振性を有していることを特徴としている。
また、本発明による電子機器は、撮像レンズと、撮像素子と、前記撮像素子の熱を放熱するための放熱板と、音が入力される音入力部と、前記音入力部の覆うように配置され、複数の開口部を有する外装とを有し、前記放熱板と前記外装が、弾性部材を介して固定手段によって接続されていることを特徴とする。
【発明の効果】
【００１１】
本発明によれば、電子機器においてカメラユニットがフローティング構造を有していても、撮像素子の熱を効率的に外装へ放熱することができる。また、段ビスによって放熱ゴムの反力を規制しているため、外装が浮くことも防止することができる。
【発明を実施するための最良の形態】
【００１２】
以下、本発明による電子機器の放熱構造の実施の形態について、デジタルビデオカメラを例として図面を参照して説明する。
図１には、本発明の実施形態によるデジタルビデオカメラ１０１の外観斜視図を示す。図２には、ＣＣＤ２０１周辺の放熱構造を展開した斜視図を示す。図３には、本発明の実施形態によるデジタルビデオカメラ１０１のカメラユニット３０１周辺構造の斜視図を示す。図4には放熱構造周辺の断面図を示す。
【００１３】
本発明におけるデジタルビデオカメラ１０１は、撮影レンズ１０２から入射した光をＣＣＤ２０１で受光し、撮像を行なうビデオカメラである。図１に示すようにこのデジタルビデオカメラ１０１は、本体後方上端にデジタルビデオカメラの外装であるマイクカバー１０３がある。本実施形態におけるマイクカバー１０３は、撮像素子であるＣＣＤ２０１や音入力部であるマイク４０１を覆っているシールドとしての役割を持つため、金属製を用いている。また、このマイクカバー１０３は、機器外部へ放熱する放熱部品としての役割も持つため、熱伝導率が高く、さらに外観に堪えうる金属のアルミ合金やマグネシウム合金などが望ましい。
【００１４】
次に、ＣＣＤ２０１周辺の構造について説明する。ＣＣＤ２０１は、第１の放熱板２０２に接着され、放熱板２０２の穴２０８からＣＣＤ２０１の端子を通して、基板２０３に半田付けされる。第１の放熱板２０２は、銅やアルミ、マグネシウムなど高い熱伝導率を有する金属等で構成される。放熱板２０２の上部には、放熱ゴム２０４を配置する。この放熱ゴム２０４は、シリコンゴムに添加剤を混入して熱伝導率を高めたゴムなどの素材が望ましいが、レンズ１０２の振動を吸収し、且つ熱を伝える素材であればよい。
【００１５】
第１の放熱ゴム２０４の上部には、第２の放熱板２０７とマイクカバー１０３の接続部２１１を配置する。第２の放熱板２０７も、第１の放熱板２０２と同様、高い熱伝導率を有する金属等で構成される。本実施形態では、マイクカバー１０３がアルミ合金の絞り加工品を想定しているため、第２の放熱板２０７を別体で設けたが、コストを掛けて一体の絞り加工品や、ダイキャスト品を用いてもよい。
【００１６】
さらに、マイクカバー１０３の接続部２１１に開けられた穴部２１２に、防振ゴム２０５を差し込み、固定手段である段ビス２０６を第１の放熱板２０２に設けられたタップ２０９に固定する。防振ゴム２０５は、減衰特性に優れたゴムやエラストマー等の素材を用いる。段ビス２０６は、フローティング構造を取る構成で多用される特殊ビスで、頭部とねじ部の間にねじが切られていない領域が設けられていることを特徴とする。このねじが切られていない領域にゴムブッシュ等を介することで、ねじ部で固定された部材と、ゴムブッシュを介して接続された部材をフローティング状態にすることができる。
【００１７】
ＣＣＤ２０１は、レンズ１０２とソリッドに接続されないと、中心ズレやケラれなどが生じてしまう。そこで本実施形態では図３に示すように、ＣＣＤが接着されている第１の放熱板２０２とレンズ１０２がビス３０３で固定されており、ＣＣＤの基板２０３と第1の放熱板２０２もビス３０２によって固定されている。
【００１８】
マイク部の詳細については、図４を用いて説明する。マイクカバー１０３の開口部１０４の下にマイク４０１が配置され、その周囲をマイクゴム４０２で覆い、開口部４０２から入ってくる音のみをマイク４０１に伝えるように構成されている。マイクゴム４０２は、減衰特性に優れたゴムやエラストマー等の素材を用いる。またマイクゴム４０２は、ソリッドな素材で構成されたマイク室４０３で囲い本体に収納する。
【００１９】
次に、本実施形態での放熱経路について、図４で解説を行なう。
ＣＣＤ２０１の熱は、接着されている第１の放熱板２０２に伝わる。第１の放熱板２０２に伝わった熱は、放熱ゴム２０４に伝わり、第２の放熱板２０７とマイクカバー１０３に伝えられる。放熱ゴム２０４は、防振ゴム２０５を介して段ビス２０６によって固定されているため、段ビス２０６の頭部の座面と、第１の放熱板２０２に挟まれ、圧縮されている。このように圧縮されることで、放熱ゴム２０４と第１の放熱板２０２、第２の放熱板２０７、マイクカバー１０３との接触熱伝導率が高い状態が維持される構成となっている。また、マイクカバー１０３は、図１に示す通り外観に露出しているため、外気を通して高い放熱効果が得られる。
【００２０】
次に、本実施形態におけるレンズ駆動音及び振動の伝播経路について、図４で解説する。
レンズ１０２で発生する振動は、ビス３０３で固定されている第１の放熱板２０２まで伝わる。また、第１の放熱板２０２のタップ部２０９に接続されている段ビス２０６にもレンズ１０２の振動は伝わる。しかし、第１の放熱板２０２からマイクカバー１０３へは、放熱ゴム２０４によって振動が減衰され、伝わらない。また、段ビス２０６からマイクカバー１０３へは、防振ゴム２０５が介在しているため振動が減衰し、伝わらない。
【００２１】
このように本発明におけるデジタルビデオカメラの構成では、高い放熱効果を得られるように、放熱ゴム２０４を段ビス２０６で圧縮できている構造にもかかわらず、防振ゴム２０５を介することで、カメラユニット３０１と外装のフローティング状態を作り出すことが可能である。
【００２２】
たとえば仮に、防振ゴム２０５が介在せずに、第１の放熱板２０２とマイクカバー１０３がソリッドに接続されると、レンズ１０２の振動がマイクカバー１０３の開口部１０４まで伝わる。この開口部１０４の振動がマイク４０１の直上部での振動であるため、マイクゴム４０２等でマイク４０１自体をフローティング状態にしていても、レンズ１０２の振動がマイク４０１に入り、騒音になってしまう。
【００２３】
なお、本実施形態では、デジタルビデオカメラを例に説明を行なったが、本発明は撮影レンズと撮像素子をもつ全ての電子機器において応用可能である。
【図面の簡単な説明】
【００２４】
【図１】本発明の実施形態によるデジタルビデオカメラの外観斜視図である。
【図２】本発明に係るＣＣＤ周辺の放熱構造の分解斜視図である。
【図３】本発明の実施形態によるデジタルビデオカメラのカメラユニット周辺構造を示す斜視図である。
【図４】本発明の放熱構造周辺の断面図である。
【符号の説明】
【００２５】
１０１デジタルビデオカメラ
１０２  撮影レンズ
１０３  マイクカバー
１０４  マイクカバーの開口部
２０１  ＣＣＤ
２０２  第１の放熱板
２０３  ＣＣＤの基板
２０４  放熱ゴム
２０５  防振ゴム
２０６  段ビス
２０７  第２の放熱板
２０８  第１の放熱板の穴
２０９  第１の放熱板のタップ部
２１０  放熱ゴムの穴部
２１１  マイクカバーの接続部
２１２  マイクカバーの接続部に設けられた穴
３０１  カメラユニット
３０２，３０３  ビス
４０１  マイク
４０２  マイクゴム
４０３  マイク室
【図１】
2005354637.tif 000003
【図２】
2005354637.tif 000004
【図３】
2005354637.tif 000005
【図４】
2005354637.tif 000006